(57)【要約】【課題】ルーバー２を外部空気流入側から、簡単に取り付けられる冷却塔用のルーバーサポート１と、ルーバーサポート１を簡単に取り付けられるルーバーサポート構成体を提供する。【解決手段】冷却塔の空気流入側に設置されるルーバー２を支持するルーバーサポート１において、ルーバーサポート１の空気流入側の側端縁にルーバー１を挿入する開口部を備えたことを特徴とするルーバーサポート。【選択図】　図１
2004108667.tif 000002
【特許請求の範囲】
【請求項１】
冷却塔の外部空気流入側に設置されるルーバー（２）を支持するルーバーサポート（１）において、ルーバーサポート（１）の外部空気流入側に開口し、該外部空気流入側からルーバー（２）を挿入することができる開口部（１０）を備えたことを特徴とするルーバーサポート。
【請求項２】
請求項１記載の開口部（１０）が、挿入部（１１）と係止部（１２）と嵌込部（１５）とを備えていることを特徴とするルーバーサポート。
【請求項３】
冷却塔の受皿（４）と受皿片縁部（４１）と散水槽架台（３）間に立設してルーバー（２）を支持するルーバーサポート（１）の取り付け構成体であって、ルーバーサポート（１）の下端に前記受水皿片縁部（４１）の受皿支持枠（４２）の立上げ片（４３）を挟着する切欠部（１４）を設けると共に、前記水槽架台（３）の水平部（３２）にルーバーサポート（１）の上端を挿入する開口部（３１）を設けたことを特徴とする冷却塔のルーバーサポート取り付け構成体。
【発明の詳細な説明】
【０００１】
【発明の属する技術分野】
本発明は、冷却塔の外部空気流入側に設置されるルーバーを簡単に設置できるルーバーサポートと、ルーバーサポート取り付け構成体に関する。
【０００２】
【従来の技術】
従来より、工場設備、ビル等の空調設備などから排出される温水を冷却して循環使用するために使用される冷却塔には、散水部から熱交換を行う充填材に温水を散布し、外部空気との熱交換により、散布温水の冷却を行い、受水槽で冷却された温水を回収していた。この際、散水部から散布する温水が冷却塔の外部空気流入側から飛散する問題があった。この問題を解決するため、外部空気流入側に複数枚のルーバーを等間隔に設置することで散水飛散防止を行っていた。
しかしルーバーの設置は、１枚１枚を設置固定することから、非常に手間のかかるものであった。
【０００３】
そこで、ルーバーの設置を簡易化する方法の検討が行われていた。
特許文献１の図１には、Ｉ形の形状よりなり、ルーバーを止着する止着孔を所定間隔に穿設したルーバーサポートが示されている。前記ルーバーサポートには、ルーバーサポートの一端側に開口する開口部ではなく、止着孔が示されている。このため、ルーバーの取り付け方法としては、冷却塔が設置される現場で、ルーバーサポートを冷却塔の受皿片縁部と散水槽架台の間に取り付けた後に、ルーバーをルーバー止着孔に差し込むことにより行っていた。しかし、ルーバーを止着孔に差し込む際に、冷却塔の支柱が邪魔になり、ルーバーを支柱に当たらないように曲げながらの挿入を行っていた為、ルーバーの取り付けは、非常の手間のかかる作業であり、またルーバーを破損させる原因などにもなっていた。
【０００４】
また、前記ルーバーサポートの上端部を係止する方法は、前記散水槽架台の水平板部の２カ所を打ち抜いて折返し片を形成し、双方の折り返し片間に前記ルーバーサポートの上端を挟持するようにしたため、ルーバーサポート設置後に双方折り返し片を折り返し挟持していた。
【０００５】
また、別の従来例として、特許文献２の図１には、仕切柱に仕切板および腕木を突出させるようにして該仕切板と腕木を柱長手方向に交互に取り付け、腕木上に載置したルーバー端部と腕木を止結部材によって止結した構造の冷却塔が記載されている。しかし、波板形状のルーバーを固定するために仕切柱、腕木、仕切板、止結部材など部品数が多く、また、波板形状のルーバーを一枚一枚止結部材で腕木に固定するのは非常に工数のかかる作業であった。
【０００６】
【特許文献１】
特開２００１−０６６０７６号公報（第３頁、第１図）
【特許文献２】
特開平０７−２５３２９２号公報（第４頁、第１図）
【０００７】
【発明が解決しようとする課題】
本発明は、上述の課題を解決すべく為されたものであって、冷却塔の外部空気流入側に設置するルーバー２を簡易に取り付けることができ、かつルーバー２を支持するルーバーサポート１を簡易に取り付けることができるルーバーサポートとルーバーサポート取り付け構成体を提供しようとするものである。
【０００８】
【課題を解決するための手段】
本発明は、上記課題を解決するためのものであって、冷却塔の外部空気流入側に設置されるルーバー２を支持するルーバーサポート１において、ルーバーサポート１の外部空気流入側にルーバー２を挿入する開口部１０を備えたルーバーサポート１。
【０００９】
また、請求項１の開口部が、少なくとも挿入部１１と係止部１２と嵌込部１５とを備えているルーバーサポート１。
【００１０】
また、冷却塔の受皿４の受皿片縁部４１と散水槽架台３間に立設してルーバー２を支持するルーバーサポート１の取り付け構成体であって、ルーバーサポート１の下端に前記受水皿片縁部４１の受皿支持枠４２の立上げ片４３を挟着する切欠き部１４を設けると共に、前記散水架台３の水平部３２にルーバーサポートの上端を挿入する開口部３１を設けたことを特徴とする冷却塔のルーバーサポート取り付け構成体。
【００１１】
【発明の実施の形態】
以下、本発明の実施例を図面に基づき具体的に説明する。図１は本発明の実施例を示す一部省略した斜視図、図２は本発明で用いるルーバーサポートを示す側面図、図３はルーバーサポート開口部の説明図、図４はルーバーのＡ−Ａ断面図、図５はルーバーサポートにルーバーを嵌め込む工程を示す説明図、図６はルーバーサポート上端を散水架台に設けたＬ字状切り欠き部に差し込む説明図、図７はルーバーサポート下端部に設けた切欠部を受皿片縁部に設けた受皿支持枠に差し込む説明図である。
【００１２】
本発明は、冷却塔の外部空気流入側に設置されるルーバー２を支持するルーバーサポート１は図１に示すように、ルーバーサポート１の外部空気流入側に開口し、該外部空気流入側からルーバー２を挿入することができる開口部１０を備えたルーバーサポートである。
【００１３】
ルーバーサポート１は、図３、４に示すように、Ｌ字アングル状の部材に、ルーバーの厚みｄ１より大きな開口幅ｄ２を有するルーバー挿入部１１と、ルーバーを係止するためのルーバー係止部１２と、ルーバーを嵌め込む際にルーバー２の一端が係るようにルーバー嵌込支点１３と、ルーバーを支持するようにルーバー下面の形状に即したルーバー支持部１４と、ルーバーの幅方向の端部２２を嵌め込む嵌込部１５を備えるルーバー開口部１０をＬ字アングルの打抜面１６にルーバー２の設置個数形成している。また、図１、２に示すように、ルーバーサポート１の下部には、受皿片縁部４１に設けた受皿支持枠４２に挟着する切欠き部１６を設けたルーバーサポート１である。
【００１４】
ルーバー２の形状としては、飛散防止ができる形状としては何れでも良い。好ましくは、図４に示すように、コストの面から、ルーバー２の厚みを薄肉とし、長さ方向のたわみを防止するために、ルーバー２の幅方向を円弧状としている。また、強度維持、嵌め込み時の破損防止のために、ルーバーの幅方向の端部２２にルーバーの長さ方向にリブ状あるいは一端部を肉厚としている。ルーバーの材質としては、耐候性、耐水性があるものであれば何でもよいが、コスト、成形加工面からＰＶＣ等の汎用樹脂が好ましい。
【００１５】
ルーバーサポート１の形状としては、平板、Ｌ鋼、Ｈ鋼の何れでも、ルーバーを支持することが可能であれば問題ないが、ルーバーサポートの端部にルーバーを挿入支持する開口部を有することから、強度が得られ、打ち抜き加工が容易なＬ字鋼が好ましい。
【００１６】
ルーバーサポート１に形成される開口部１０は、図２、３に示すように、ルーバーを挿入する挿入部１１、ルーバーを嵌め込む際支点となる嵌込支点１３、ルーバーを係止するための係止部１２、ルーバー端部を嵌め込む嵌込部１５、ルーバーを支持する支持片１４からなる。また、ルーバーサポート１に設ける開口部１０の数は、冷却塔の大きさなどにより適宜選定を行う。また、ルーバーサポートに設ける開口部１０の間隔としては、散布水が飛散し安い上部側から散布水が飛散しにくい下部側に徐々に間隔を広げて設置するようにしてもよい。
【００１７】
ルーバーサポート１の挿入部１１は、図３、４に示すように、ルーバー厚みｄ１より幅広な開口幅ｄ２を設けることで、ルーバー２の挿入がスムーズに行えるようしている。開口幅ｄ２がルーバーの厚みｄ１より小さい場合は、ルーバーの挿入がスムーズに行えないあるいは、ルーバーを変形させながら押し込む状態になるため、ルーバーの破損原因になることから好ましくはない。
【００１８】
ルーバーサポートの係止部１２は、図３、４に示すように、ルーバー嵌込支点１３との間の距離ｄ３がルーバーの幅長さｄ５よりわずかに短くなるように設定する。このように設定することで、嵌め込んだルーバー２がはずれにくい構造としている。
【００１９】
以下にルーバー２をルーバーサポート１に設置する手順について図３、４、５を用いて説明する。
ルーバー２を外部空気流入側から開口部１１に挿入する。この際、ルーバー２の厚みより、開口部１０の開口幅ｄ２を大きく設定したことからスムーズに挿入することができる。
次にルーバー２の端部２１がルーバーサポート嵌込支点１３に当接するように設置する。この際、ルーバー２の幅長さが係止部１２と嵌込支点１３の距離より、少し長いことから、ルーバー２のもう一方の端部２２は係止部上面で当接する状態となる。
次に、ルーバー２の幅方向の略中央部を指などでＡ方向に押すあるいは、ルーバー端部２２を冷却塔の空気吸入方向に押すことで、薄肉状のルーバー２は、たわみ、ルーバー２の端部２２は、嵌込部１５に嵌め込まれる。
【００２０】
ルーバーサポートのルーバー嵌込部１５は、ルーバー嵌込支点１３との距離ｄ４がルーバーの幅長さｄ５よりわずかに長くなるように設定されているため、嵌め込んだルーバー２が嵌込部１５と嵌込支点１３とルーバー支持片１４で支持され、係止部１２によりはずれにくい構造となっている。
【００２１】
ルーバー支持片１４は、ルーバー２の下部形状とほぼ同じ形状とすることで、ルーバー２をより大きな片で確実に支持することができることから好ましい。ルーバー２は、冷却塔外部空気流入側が上方になるように、冷却塔内面側が下方になるように形成することで、散布した水がルーバー２によって、冷却塔内面側に流れるように傾斜をさせている。
【００２２】
ルーバーサポート１の設置方法について以下に図６、７を用いて説明する。ルルーバーサポート１の上端部を支持する散水架台３にルーバーサポート１上端部が挿入することができるように、ルーバーサポートと略同一形状なＬ字状の挿入開口部３１を設ける。前記Ｌ字状の挿入開口部３１にルーバーサポート１を下方より上方に差し込むように挿入を行う。挿入開口部３１をＬ字形状とすることで、ルーバー２の長さ方向とルーバー２の幅方向のどちらにも動きを抑制できる点から好ましい。
次に、ルーバーサポート１下部の切欠部１４を受皿片縁部４１に設けた受皿片縁部４１の受皿支持枠４２に上方から下方に差し込む。また、ルーバーサポート１の上端部が上下方向に拘束されていないことから、ルーバーサポート１を上方に押し上げれば容易にはずれる構造となっている。
【００２３】
【発明の効果】
本発明は、冷却塔の外部空気流入側に設置されるルーバー２を支持するルーバーサポート１において、ルーバーサポート１の外部空気流入側に開口し、該外部空気流入側からルーバー２を挿入することができる開口部１０を備え、また、開口部１０が、挿入部１１と係止部１２と嵌込部１５とを備えているルーバーサポート１とすることで、該ルーバー２の取り付けが簡単になる。
また、冷却塔の受皿４と受皿片縁部４１と散水槽架台３間に立設してルーバー２を支持するルーバーサポート１の取り付け構成体であって、ルーバーサポート１の下端に前記受水皿片縁部４１の受皿支持枠４２の立上げ片４３を挟着する切欠部１４を設けると共に、前記水槽架台３の水平部３２にルーバーサポート１の上端を挿入する開口部３１を設けたことにより、ルーバーサポート１を冷却塔に取り付けまでも簡単になる。
【図面の簡単な説明】
【図１】本発明の実施例を示す一部省略した斜視図
【図２】本発明で用いるルーバーサポートを示す側面図
【図３】ルーバーサポート開口部の説明図
【図４】ルーバーのＡ−Ａ断面図
【図５】ルーバーサポートにルーバーを嵌め込む工程を示す説明図
【図６】ルーバーサポート上端を散水架台に設けたＬ字状切り欠き部に差し込む説明図
【図７】ルーバーサポート下端部に設けた切欠部を受皿片縁部に設けた受皿支持枠に差し込む説明図
【符号の説明】
１　　ルーバーサポート
１０　開口部
１１　挿入部
１２　係止部
１３　嵌込支点
１４　支持片
１５　嵌込部
１６　打抜面
２　　ルーバー
２１　端部
２２　もう一方の端部
３　　散水槽架台
３１　挿入開口部
４　　受皿
４１　受皿片縁部
４２　受皿支持枠
４３　立上げ片
【図１】
2004108667.tif 000003
【図２】
2004108667.tif 000004
【図３】
2004108667.tif 000005
【図４】
2004108667.tif 000006
【図５】
2004108667.tif 000007
【図６】
2004108667.tif 000008
【図７】
2004108667.tif 000009